【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
統合浄水装置（１１０）を備えるシステムであって、
前記統合浄水装置（１１０）は、
水源（３９８）から水を受けるための水入り口（３３３）に接続されたプレフィルタ回路（４０２）であって、粒子フィルタおよび活性炭フィルタが前記水入り口（３３３）を介して受けた水をフィルタすることによって前処理された水を生成するよう構成される、プレフィルタ回路（４０２）と、
前記プレフィルタ回路（４０２）から前処理された水を受けるよう構成された流体回路（４０４）であって、前記流体回路（４０４）が、
ＲＯ−ポンプ（４５０）と、
逆浸透、ＲＯ、デバイス（３０１）と、を含む、流体回路（４０４）と、を含み、
前記浄水装置（１１０）はさらに、前記ＲＯ−ポンプ（４５０）を用いて前記ＲＯデバイス（３０１）を通じて前処理された水をポンプし、精製水を生成し、精製水出口コネクタ（１２８）を通じて前記精製水を出すように構成され、
前記流体回路（４０４）はさらに、
前記ＲＯデバイス（３０１）からの精製水を摂氏６５度を超える温度に熱するように透過流体経路（３７１ａ）に構成された加熱デバイス（３０２）を含み、
前記浄水装置（１１０）はさらに、前記熱せられた精製水を用いて前記流体回路（４０４）を加熱殺菌するよう構成され、
前記システム（１０ａ）はさらに、
ラインセット（４０）であって、前記ラインセット（４０）の水ラインコネクタ（６８）において前記精製水出口コネクタ（１２８）に接続されるラインセット（４０）を備え、
前記ラインセット（４０）が、前記精製水をフィルタして滅菌精製水とするよう構成された少なくともひとつの滅菌滅菌化グレードフィルタ（７０ａ、７０ｂ）を含むシステム。
【請求項２】
前記ラインセット（４０）が再利用可能ラインセットである請求項１に記載のシステム。
【請求項３】
前記少なくともひとつの滅菌滅菌化グレードフィルタ（７０ａ、７０ｂ）が、１マイクロメートル未満の平均細孔直径を有する請求項１又は２に記載のシステム。
【請求項４】
前記流体回路（４０４）が、前記ＲＯデバイス（３０１）からの前記精製水をさらに処理し、さらに浄化された水を出力するよう構成された電気脱イオンユニット、ＥＤＩユニット、（３０６）を含み、
前記流体回路（４０４）が、前記ＥＤＩユニット（３０６）からの前記精製水を前記水出口コネクタ（１２８）を通じて出力するよう構成される請求項１から３のいずれか一項に記載のシステム。
【請求項５】
前記ラインセット（４０）がドレインライン（５６）を含み、前記ドレインライン（５６）が前記ドレインライン（５６）のドレインラインコネクタ（５８）において前記浄水装置（１１０）のドレインコネクタ（１１８）に接続され、
前記浄水装置（１１０）がさらに、前記ラインセット（４０）の前記ドレインライン（５６）から受けたドレイン流体をドレイン（３３９）に輸送するための、前記ドレインコネクタ（１１８）に接続された第１ドレイン経路（３８４）を備える請求項１から４のいずれか一項に記載のシステム。
【請求項６】
前記浄水装置（１１０）がさらに、前記熱せられた精製水を用いて、前記浄水装置（１１０）の前記ドレインコネクタ（１１８）と前記水出口コネクタ（１２８）とを加熱殺菌するよう構成される請求項５に記載のシステム。
【請求項７】
前記浄水装置（１１０）は、
前記流体回路（４０４）内を流れる前記精製水を、前記加熱デバイス（３０２）によって、摂氏６５度を超える温度に、熱するよう前記浄水装置（１１０）に周期的に命令するようプログラムされ、かつ、所定の殺菌基準が充たされるように前記熱せられた水を用いて前記流体回路（４０４）の加熱殺菌を制御するようプログラムされるコントロールユニット（１１２）を含む請求項１から６のいずれか一項に記載のシステム。
【請求項８】
前記コントロールユニット（１１２）が、前記流体回路（４０４）内を流れる水を、前記加熱デバイス（３０２）によって熱するよう前記浄水装置（１１０）に命令するようプログラムされ、かつ、前記ラインセット（４０）の加熱殺菌のために前記精製水出口コネクタ（１２８）を通じて前記ラインセット（４０）に前記熱せられた水を出すようプログラムされる請求項１から７のいずれか一項に記載のシステム。
【請求項９】
少なくともひとつの濃縮物源（８４ａ、８４ｂ）と、
サイクラ（２０）と、を備え、
前記サイクラは、
サイクラコントロールユニット（２２）と、
前記コントロールユニット（２２）によって制御されるよう構成されたポンプアクチュエータ（５）と、を含み、
前記ラインセット（４０）は前記サイクラ（２０）と共に動作可能であり、かつ、さらに、
前記ポンプアクチュエータ（５）によって駆動されるよう構成されたポンプチャンバ（４４）を有するポンピングカセット（４２）と、
前記ポンピングカセット（４２）と流体連通するミキシングコンテナ（６２）と、を備え、
前記サイクラコントロールユニット（２２）が、前記精製水と前記少なくともひとつの濃縮物とを混ぜるためのインストラクションを有し、前記インストラクションが、
前記ポンプアクチュエータ（５）に、前記ポンプチャンバ（４４）を動作させることで、前記ミキシングコンテナ（６２）に前記精製水の第１量をポンプさせることと、
前記ポンプアクチュエータ（５）に、前記ポンプチャンバ（４４）を動作させることで、前記ミキシングコンテナ（６２）に、前記少なくともひとつの濃縮物源（８４ａ、８４ｂ）からの前記少なくともひとつの濃縮物の規定量をポンプさせることと、を行うことを含む請求項１から８のいずれか一項に記載のシステム。
【請求項１０】
前記サイクラコントロールユニット（２２）が、前記ラインセット（４０）の加熱殺菌を行うためのインストラクションを備え、前記インストラクションが、
（ｉ）前記ポンプアクチュエータ（５）に、前記ラインセット（４０）内で熱水を循環させることを含む請求項８または９に記載のシステム。
【請求項１１】
前記ラインセット（４０）が、前記精製水をフィルタして滅菌精製水とするよう構成された２つ以上の滅菌滅菌化グレードフィルタ（７０ａ、７０ｂ）を含む、請求項１から１０のいずれか一項に記載のシステム。
【請求項１２】
システムで細菌学的に制御された流体を生成するための方法であって、前記システムが、加熱殺菌された流体回路を伴う浄水装置であって、精製水を生成するよう構成された逆浸透、ＲＯ、ユニットおよび前記流体回路を加熱殺菌するために使用される前記ＲＯユニットからの精製水を加熱するよう透過流体経路に構成された加熱デバイスを含む浄水装置と、前記精製水を使用箇所に輸送するために前記浄水装置の水出口コネクタに接続されたラインセットと、を備え、前記方法は、
水源からの水を前記流体回路の前記逆浸透ユニット、ＲＯユニット、で処理することによって、精製水を生成すること（Ｓ１）と、
前記精製水出口コネクタおよびそれに接続された前記ラインセットを通るよう前記精製水を導くこと（Ｓ３）であって、前記ラインセットが少なくともひとつの滅菌滅菌化グレードフィルタを含み、前記滅菌滅菌化グレードフィルタが、１マイクロメートル未満の平均細孔直径を有する、ことと、を含む方法。
【請求項１３】
前記システム（１）がサイクラ（２０）を備え、
前記方法はさらに、
前記サイクラ（２０）のポンプアクチュエータに、前記ラインセットのポンプチャンバを動作させることで、前記ラインセットのミキシングコンテナに前記精製水の第１量をポンプさせること（Ｓ４１）と、
前記ポンプアクチュエータに、前記ポンプチャンバを動作させることで、前記ミキシングコンテナに、少なくともひとつの濃縮物源からの少なくともひとつの濃縮物の規定量をポンプさせること（Ｓ４２）と、を含む請求項１２に記載の方法。
【請求項１４】
摂氏６５度を超える温度に前記生成された精製水を熱すること（Ｓ５）と、
前記水出口コネクタを通るように熱せられた前記精製水を導くこと（Ｓ６）と、
前記ラインセット内において熱せられた前記精製水を循環させること（Ｓ７）と、をさらに含む請求項１２または１３に記載の方法。
【請求項１５】
インストラクションを備えるコンピュータプログラムであって、前記インストラクションは、前記プログラムがコントロールユニットによって実行された場合、請求項１から１１のいずれか一項に記載の前記コントロールユニットおよびそれに関するシステムに、請求項１２から１４のいずれか一項に記載の方法を実行させるコンピュータプログラム。